(57)【要約】【課題】ミニプリンタにおけるペーパーの移動のためのペーパーローディング装置を提供すること。【解決手段】プリンタ１１本体にヒンジ結合されて前記ヒンジを中心に回動することにより、前記下部ペーパーガイド１２との間隔を開位置および閉位置に調節可能な上部ペーパーガイドアセンブリ２０と、前記上部ペーパーガイドアセンブリ２０を開位置及び閉位置に調節すべく前記上部ペーパーガイドアセンブリ２０をロック及び解放させるロック手段と、前記上部ペーパーガイドアセンブリ２０のヒンジに介在され、前記ロック手段を解放すれば、前記上部ペーパーガイドアセンブリ２０を開位置に戻す弾性スプリングと、を備えるペーパーローディング装置。これによれば、ペーパーローディングが極めて容易であり、紙詰まりが発生した場合にも紙を容易でかつ完全に取り出せるほか、装置をコンパクト化させて小型軽量化を図れる。 【選択図】図８Ａ
2005324535.tif 000002
【特許請求の範囲】
【請求項１】
プリンタ本体の先端部に結合される下部ペーパーガイドと、 
前記下部ペーパーガイドの上部に載置され、前記プリンタ本体にヒンジ結合されて前記ヒンジを中心に回動することにより、前記下部ペーパーガイドとの間隔を開位置および閉位置に調節可能な上部ペーパーガイドアセンブリと、 
前記下部ペーパーガイドと前記上部ペーパーガイドアセンブリとの間に挟持されたペーパーをフィーディングすべく駆動力を生じるペーパーフィーディングモータと、 
前記ペーパーフィーディングモータの回転速度を減らすためのフィーディング減速ギア部材と、 
前記フィーディング減速ギア部材に軸結合されて回転する回転軸と、 
前記回転軸の両側に嵌め付けられ、前記ペーパーに形成された移送孔に嵌合可能な突起が一定の間隔をおいて形成されたスプロケットホイールと、 
前記上部ペーパーガイドアセンブリを開位置及び閉位置に調節すべく、前記上部ペーパーガイドアセンブリをロック及び解放させるロック手段と、 
前記上部ペーパーガイドアセンブリのヒンジに介在されて、前記ロック手段を解放すれば、前記上部ペーパーガイドアセンブリを開位置に戻す弾性スプリングと、を備えてなることを特徴とするペーパーローディング装置。 
【請求項２】
前記上部ペーパーガイドアセンブリは、前記下部ペーパーガイドの湾曲面に対応する形状に形成される上部ペーパーガイドと、 
前記上部ペーパーガイドの両端に立設される垂直板と、 
前記上部ペーパーガイドアセンブリを回動させるためのヒンジ軸と、 
前記垂直板の外面にそれぞれ設けられるロック突起と、を備えることを特徴とする請求項１に記載のペーパーローディング装置。 
【請求項３】
前記上部ペーパーガイドアセンブリの内部には、前記ペーパーフィーディングモータ、前記回転軸、前記スプロケットホイール及び駆動モータが設けられて前記上部ペーパーガイドアセンブリと共に回動することを特徴とする請求項１に記載のペーパーローディング装置。 
【請求項４】
前記フィーディング減速ギア部材は、前記上部ペーパーガイドアセンブリの一側面に設けられて前記上部ペーパーガイドアセンブリと共に回動され、前記プリンタ本体には、前記上部ペーパーガイドアセンブリが閉位置になると、前記フィーディング減速ギア部材のうち何れか一つの減速ギアに係合されるマニュアルノブギアが設けられ、前記マニュアルノブギアにはマニュアルノブが設けられることを特徴とする請求項１に記載のペーパーローディング装置。 
【請求項５】
前記ロック手段は、前記上部ペーパーガイドアセンブリのロック突起が挿抜可能なロック溝が形成され、一端が前記プリンタ本体に形成されたホールに拘束され、中央が前記プリンタ本体にヒンジ結合されて前記ヒンジ部を中心に回動可能な作動ノブを備え、前記作動ノブは、前記ヒンジ部から前記プリンタ本体に拘束された一端までの支持台が弾性力により復元されることを特徴とする請求項１に記載のペーパーローディング装置。
【請求項６】
前記作動ノブには、前記ロック突起が下降しつつ前記ロック溝に嵌め込まれるべく傾斜したガイド面が形成されることを特徴とする請求項５に記載のペーパーローディング装置。 
【請求項７】
前記下部ペーパーガイドには、ローディングされるペーパーの両側をガイドすべく垂直面に形成されたガイド部が備えられることを特徴とする請求項１に記載のペーパーローディング装置。 
【請求項８】
プリンタ本体の先端部に結合される下部ペーパーガイドと、 
前記下部ペーパーガイドの上部に載置され、前記プリンタ本体にヒンジ結合されて前記ヒンジを中心に回動することにより、前記下部ペーパーガイドとの間隔を開位置および閉位置に調節可能な上部ペーパーガイドアセンブリと、 
ペーパーをフィーディングするためのペーパーフィーディングモータと、 
前記ペーパーフィーディングモータの回転速度を減らすためのフィーディング減速ギア部材と、 
前記フィーディング減速ギア部材に軸結合される回転軸の両側に嵌め付けられるスプロケットホイールと、
前記上部ペーパーガイドアセンブリを開位置及び閉位置に調節すべく前記上部ペーパーガイドアセンブリをロック及び解放させるロック手段と、
前記上部ペーパーガイドアセンブリのヒンジに介在されて、前記ロック手段を解放すれば、前記上部ペーパーガイドアセンブリを開位置に戻す弾性スプリングと、
前記ペーパーに印字を行うヘッドが取り付けられるヘッドキャリッジと、
前記ヘッドキャリッジの突起が嵌合自在に該外周縁には溝が長く形成され、駆動モータからの回転力を受けて回転しつつ前記ヘッドキャリッジを左右に移動させるリードカムと、
前記ヘッドに電気的な信号を伝送するためのプリント回路基板と、を備えてなることを特徴とするミニプリンタ。 
【請求項９】
前記ペーパーフィーディングモータ、前記回転軸及び前記スプロケットホイールは、前記上部ペーパーガイドアセンブリの内部に設けられて前記上部ペーパーガイドアセンブリと共に回動することを特徴とする請求項８に記載のミニプリンタ。
【請求項１０】
前記フィーディング減速ギア部材は、前記上部ペーパーガイドアセンブリの一側面に設けられて前記上部ペーパーガイドアセンブリと共に回動され、前記プリンタ本体には、前記上部ペーパーガイドアセンブリが閉位置になると、前記フィーディング減速ギア部材のうち何れか一つの減速ギアに係合されるマニュアルノブギアが設けられ、前記マニュアルノブギアにはマニュアルノブが設けられることを特徴とする請求項８に記載のミニプリンタ。
【発明の詳細な説明】
【技術分野】
【０００１】
本発明は、ミニプリンタにおけるペーパーの移動のためのペーパーローディング装置に係り、特に、クレジットカードの伝表印刷向けミニプリンタにおいて、ペーパーのローディングが極めて容易であり、紙詰まりが発生した場合にも紙を容易でかつ完全に除去できるほか、装置を大幅にコンパクト化させて小型軽量化を図るペーパーローディング装置及びこれを備えたミニプリンタに関する。
【背景技術】
【０００２】
通常、ミニプリンタは、商品名や値段などが印字されたレシートをプリントするために使われるものであって、大きくペーパーをローディングして移動させるローディング装置と、ペーパーに商品名や値段などをプリントする印字装置と、を備えてなる。 
【０００３】
図１は、従来のミニプリンタを示す斜視図であり、図２は、従来のミニプリンタのペーパーローディング装置を示す分解斜視図であって、クレジットカードの伝票印刷向けのミニプリンタの一例を示している。 
【０００４】
図１及び図２に示すように、従来のミニプリンタのペーパーローディング装置は、プリンタ本体１の先端部に結合されてペーパーをローディングするための下部ペーパーガイド２と、前記下部ペーパーガイド２と所定の間隔だけ離れており、それらの間にペーパーを挟持自在に設けられる上部ペーパーガイド３と、前記下部ペーパーガイド２と上部ペーパーガイド３との間に挟持されたペーパーをフィーディングすべく駆動力を生じるペーパーフィーディングモータ４と、前記ペーパーフィーディングモータ４の回転速度を減らすフィーディング減速ギア部材５と、前記フィーディング減速ギア部材５に軸結合されて回転する回転軸６と、前記回転軸６の両側に嵌め付けられるスプロケットホイール７と、前記回転軸７の端部に設けられるマニュアルノブ８と、を備える。 
【０００５】
このような従来のペーパーローディング装置は、図３に示すように、プリンタ本体１に固定された下部ペーパーガイド２と上部ペーパーガイド３との間に、使用者が手作業でペーパー９を一定量だけ挟み込んだ状態で前記スプロケットホイール７を回転させてローディングするようになっているが、通常、このローディング方式には自動ローディング方式と手動ローディング方式とがある。 
【０００６】
自動ローディング方式によれば、端末に取り付けられたフィーディングキーを押下すれば、その信号に応じて前記ペーパーフィーディングモータ４が回転し、該駆動力がフィーディング減速ギア部材５を介して回転軸６に伝わり、前記回転軸６に連動されるスプロケットホイール７が回転しつつホイール７の突起７ａとペーパー９に形成された移送孔９ａが嵌合される結果、スプロケットホイール７の回転に応じてペーパー９を一定の位置にローディングさせる。 
【０００７】
これに対し、手動ローディング方式の場合、回転軸６に固定されたマニュアルノブ８を手で回すことにより、回転軸６に連動されるスプロケットホイール７が回転しつつホイール７の突起７ａとペーパー９に形成された移送孔９ａが位置合わせられる結果、ペーパー９を一定量だけローディング可能になり、その後、ペーパー９の正確な位置決めのために、上述した自動ローディング時における動作を同様に行わせる。
【０００８】
しかしながら、前記のような従来のミニプリンタのペーパーローディング装置は、前記下部ペーパーガイド２と上部ペーパーガイド３との間隔が狭くなっているため、使用者が前記ペーパー９を手に取って下部ペーパーガイド２と上部ペーパーガイド３との間に挟むに当たって、曲がって入り易く、これにより、正しくローディングできないか、それとも紙詰まりが発生するといった問題点があった。 
【０００９】
また、このように紙詰まりが発生する場合、従来のミニプリンタは、前記下部ペーパーガイド２と上部ペーパーガイド３との間隔が狭くなっているため、詰まった紙の除去も容易ではなかった。 
【００１０】
さらに、紙９を除去する途中でその紙が裂ければ、図４に示すように、裂けた紙切れ９ｂが前記下部ペーパーガイド２と上部ペーパーガイド３との間に詰まってしまい、その取り出しが極めて困難であった。このため、紙切れ９ｂを取り出すまではミニプリンタの使用をしばらくの間中止せざるを得ず、前記下部ペーパーガイド２と上部ペーパーガイド３との間に詰まっている紙切れ９ｂを取り出すためには、装置を分解するか、さらには、別途のＡ／Ｓを受ける必要が生じてくるといった短所もあった。 
【００１１】
このように、従来のミニプリンタのペーパーローディング装置は、ペーパー９の挟み方が煩雑であり、初期のペーパーローディング時に正しく挟まなければ、ペーパー９が所望の位置にローディングできないか、あるいは紙詰まりが発生して紙を除去する必要が生じるため、ペーパーローディングに当たって慎重にかつ上手にローディングしなければならなかった。
【発明の開示】
【発明が解決しようとする課題】
【００１２】
本発明は、上記事情に鑑みてなされたものであり、その目的は、ミニプリンタのペーパーローディング時におけるローディング作業が極めて容易であり、紙詰まりが発生した場合にも紙を容易にかつ完全に取り出せるペーパーローディング装置を提供するところにある。 
【００１３】
また、本発明の他の目的は、装置を大幅にコンパクト化させてミニプリンタの小型軽量化を図ることのできるペーパーローディング装置を提供するところにある。 
【００１４】
これら本発明の目的は、この技術分野における当業者によって、添付された図面に基づき後述する本発明の好適な実施の形態から一層明らかになる。
【課題を解決するための手段】
【００１５】
本発明の目的を達成するために、本発明からは、プリンタ本体の先端部に結合される下部ペーパーガイドと、前記下部ペーパーガイドの上部に載置され、前記プリンタ本体にヒンジ結合されて前記ヒンジを中心に回動することにより、前記下部ペーパーガイドとの間隔を開位置および閉位置に調節可能な上部ペーパーガイドアセンブリと、前記下部ペーパーガイドと前記上部ペーパーガイドアセンブリとの間に挟持されたペーパーをフィーディングすべく駆動力を生じるペーパーフィーディングモータと、前記ペーパーフィーディングモータの回転速度を減らすためのフィーディング減速ギア部材と、前記フィーディング減速ギア部材に軸結合されて回転する回転軸と、前記回転軸の両側に嵌め付けられ、前記ペーパーに形成された移送孔に嵌合可能な突起が一定の間隔をおいて形成されたスプロケットホイールと、前記上部ペーパーガイドアセンブリを開位置及び閉位置に調節すべく、前記上部ペーパーガイドアセンブリをロック及び解放させるロック手段と、前記上部ペーパーガイドアセンブリのヒンジに介在されて、前記ロック手段を解放すれば、前記上部ペーパーガイドアセンブリを開位置に戻す弾性スプリングと、を備えてなるペーパーローディング装置が提供される。 
【００１６】
ここで、前記上部ペーパーガイドアセンブリは、前記下部ペーパーガイドの湾曲面に対応する形状に形成される上部ペーパーガイドと、前記上部ペーパーガイドの両端に立設される垂直板と、前記上部ペーパーガイドアセンブリを回動させるためのヒンジ軸と、前記垂直板の外面にそれぞれ設けられるロック突起と、を備える。 
【００１７】
また、前記ペーパーフィーディングモータ、前記回転軸及び前記スプロケットホイールは、前記上部ペーパーガイドアセンブリの内部に設けられて前記上部ペーパーガイドアセンブリと共に回動することを特徴とする。 
【００１８】
さらに、前記フィーディング減速ギア部材は、前記上部ペーパーガイドアセンブリの一側面に設けられて前記上部ペーパーガイドアセンブリと共に回動され、前記プリンタ本体には、前記上部ペーパーガイドアセンブリが閉位置になると、前記フィーディング減速ギア部材のうち何れか一つの減速ギアに係合されるマニュアルノブギアが設けられ、前記マニュアルノブギアにはマニュアルノブが設けられる。 
【００１９】
一方、前記ロック手段は、前記上部ペーパーガイドアセンブリのロック突起が挿抜可能なロック溝が形成され、一端が前記プリンタ本体に形成されたホールに拘束され、中央が前記プリンタ本体にヒンジ結合されて前記ヒンジ部を中心に回動可能な作動ノブを備え、前記作動ノブは、前記ヒンジ部から前記プリンタ本体に拘束された一端までの支持台が弾性力により復元される。 
【００２０】
ここで、前記作動ノブには、前記ロック突起が下降しつつ前記ロック溝に嵌め込まれるべく傾斜したガイド面が形成されることを特徴とする。 
【００２１】
さらに、前記下部ペーパーガイドには、ローディングされるペーパーの両側をガイドするために垂直面に形成されたガイド部が備えられる。 
【発明の効果】
【００２２】
本発明に係るミニプリンタのペーパーローディング装置は、前記上部ペーパーガイドアセンブリが固着されているのではなく、ヒンジ軸を中心に回動自在に設けられることにより、開位置の状態でペーパーを挟んだ後、閉位置の状態でローディング作業を行えば、ペーパーを容易にローディングできるといったメリットがある。 
【００２３】
また、ペーパーのローディングに当たって紙詰まりが発生するとしても、構造が単純であることから、紙を取り出しやすく、Ａ／Ｓが容易である。 
【００２４】
さらにまた、ペーパーローディングのメカニズムが単純であるため、ペーパーローディング装置を大幅にコンパクト化でき、ミニプリンタの小型軽量化を図ることができる。そして、紙の裂けなどを防止できることから、ミニプリンタへの信頼性を高められるメリットもある。
【発明を実施するための最良の形態】
【００２５】
以下、添付した図面に基づき、本発明のペーパーローディング装置及びこれを備えたミニプリンタについて詳細に説明する。 
【００２６】
図５は、本発明のミニプリンタを示す斜視図である。これを参照すれば、本発明のミニプリンタは、プリンタ本体１１と、前記プリンタ本体１１の先端部に結合されてペーパーをローディングするための下部ペーパーガイド１２と、前記下部ペーパーガイド１２の上部に載置され、前記プリンタ本体１１にヒンジ結合されて前記ヒンジを中心に回動可能な上部ペーパーガイドアセンブリ２０と、ペーパーに印字を行うヘッド１３が取り付けられるヘッドキャリッジ１３ａと、前記ヘッドキャリッジ１３ａの突起（図示せず）が嵌合自在にその外周縁には溝１５ａが長く形成され、駆動モータ１４からの回転力を受けて回転しつつ、前記ヘッドキャリッジ１３ａを左右に移動させるリードカム１５と、を備えてなる。 
【００２７】
本発明のペーパーローディング装置は、プリンタ本体１１の先端部に前記下部ペーパーガイド１２が設けられており、前記下部ペーパーガイド１２の上部にはペーパーのローディングのための上部ペーパーガイドアセンブリ２０が設けられるが、前記上部ペーパーガイドアセンブリ２０は、前記プリンタ本体１１にヒンジ結合されて前記ヒンジを中心に回動されることにより、前記下部ペーパーガイド１２との間隔を開位置および閉位置に調節可能な仕組みとなっている。 
【００２８】
前記下部ペーパーガイド１２には、ローディングされるペーパーの両側をガイドするために垂直面に形成されたガイド部１２ｂが両側に備えられる。 
【００２９】
図６は、本発明のミニプリンタのペーパーローディング装置を示す分解斜視図である。これを参照すれば、前記上部ペーパーガイドアセンブリ２０は、前記下部ペーパーガイド１２の湾曲面に対応する形状に形成された上部ペーパーガイド２１と、前記上部ペーパーガイド２１の両端に立設される垂直板２２と、前記垂直板２２に挿通されて前記上部ペーパーガイドアセンブリ２０を回動させるためのヒンジ軸２３と、前記垂直板２２の外面にそれぞれ設けられるロック突起２４と、を備える。 
【００３０】
一方、本発明のペーパーローディング装置は、前記下部ペーパーガイド１２と前記上部ペーパーガイドアセンブリ２０との間に挟持されたペーパーをフィーディングすべく駆動力を生じるペーパーフィーディングモータ４１と、前記ペーパーフィーディングモータ４１の回転速度を減らすためのフィーディング減速ギア部材４２と、前記フィーディング減速ギア部材４２のうち何れか一つの減速ギアに軸結合されて回転する回転軸４３と、前記回転軸４３の両側に嵌め付けられ、前記ペーパーに形成された移送孔に嵌合可能な突起４４ａが一定の間隔をおいて形成されたスプロケットホイール４４と、前記上部ペーパーガイドアセンブリ２０を開位置及び閉位置に調節すべく前記上部ペーパーガイドアセンブリ２０をロック及び解放させるロック手段と、前記上部ペーパーガイドアセンブリ２０のヒンジ軸２３に介在され、前記ロック手段を解放すれば、前記上部ペーパーガイドアセンブリ２０を開位置に戻す弾性スプリング２６と、をさらに備える。 
【００３１】
図面における未説明符号２５は、ペーパーへの印字に当たってヘッド１３が打つプラテンである。 
【００３２】
ここで、前記ペーパーフィーディングモータ４１、前記回転軸４３及び前記スプロケットホイール４４は、前記上部ペーパーガイドアセンブリ２０の内部に設けられる。 
【００３３】
すなわち、前記上部ペーパーガイド２１とその両端の垂直板２２からなるスペース内に前記ペーパーフィーディングモータ４１、前記回転軸４３及び前記スプロケットホイール４４が設けられるのである。 
【００３４】
さらに、前記ヘッドキャリッジ１３ａを左右に移動させるリードカム１５を回転させるための駆動モータ１４が前記上部ペーパーガイドアセンブリ２０の内部における前記ペーパーフィーディングモータ４１との対応位置に設けられる。 
【００３５】
一方、前記フィーディング減速ギア部材４２は、前記上部ペーパーガイドアセンブリ２０の一側面、すなわち、前記垂直板２２の外面に設けられて前記上部ペーパーガイドアセンブリ２０と共に回動される。 
【００３６】
従って、このように、前記上部ペーパーガイドアセンブリ２０の内部に設けられた前記ペーパーフィーディングモータ４１、駆動モータ１４、前記回転軸４３、前記スプロケットホイール４４及び前記フィーディング減速ギア部材４２は、前記上部ペーパーガイドアセンブリ２０がヒンジを中心に回動するときに共に回動され、ペーパーをローディングするための上側ローダを構成する。 
【００３７】
このため、かかる本発明のローディング装置は、従来のペーパーローディング装置よりもコンパクト化させることができる。 
【００３８】
また、前記プリンタ本体１１には、前記上部ペーパーガイドアセンブリ２０が閉位置になると、前記フィーディング減速ギア部材４２のうち何れか一つの減速ギア４２ａに係合されるマニュアルノブギア３４が設けられ、前記マニュアルノブギア３４にはマニュアルノブ３３が軸結合される。 
【００３９】
このため、前述の如く、前記フィーディング減速ギア部材４２が前記上部ペーパーガイドアセンブリ２０と共に回動して閉位置になると、前記マニュアルノブ３３に設けられたマニュアルノブギア３４と前記減速ギア４２ａが係合されるため、前記マニュアルノブ３３を手で回すことにより回転軸４３に連動されるスプロケットホイール４４を回転させつつホイール４４の突起４４ａとペーパーに形成された移送孔が位置合わせられ、その結果、ペーパーを一定量だけローディングできるのである。 
【００４０】
また、前記上部ペーパーガイド２１は、前記下部ペーパーガイド１２の湾曲面に対応する形状に曲げ形成され、前記ヒンジを中心に回動して閉位置になる場合、前記下部ペーパーガイド１２と上部ペーパーガイド２１との間隔は、ペーパーが通過自在に形成されることが好ましい。 
【００４１】
前記上部ペーパーガイド２１は、底面の両側に切取り部２１ａが形成されており、前記切取り部２１ａを介して前記スプロケットホイール４４及び前記突起４４ａが露出されるように設けられる。 
【００４２】
また、前記下部ペーパーガイド１２にも前記切取り部２１ａとの対応位置に切取り部１２ａが形成され、ペーパーのローディングに当たって上部ペーパーガイドアセンブリ２０を閉じれば、移送孔の形成された前記ペーパーの両側部が前記切取り部１２ａに露出され、前記ペーパーの移送孔に前記突起４４ａが嵌合された状態で回転させることにより、前記ペーパーの移送が容易になる。 
【００４３】
図７Ａ及び図７Ｂは、本発明のロック手段を示す側面図であって、図７Ａは、ロック状態を示し、図７Ｂは、解放状態を示す。 
【００４４】
本発明においては、前記ロック手段として、前記上部ペーパーガイドアセンブリ２０の垂直板２２に形成されたロック突起２４が挿抜自在なロック溝３１ａが形成され、一端が前記プリンタ本体１１に形成されたホール１１ａに拘束され、中央が前記プリンタ本体１１にヒンジ結合されて前記ヒンジ部３１ｃを中心に回動可能な作動ノブ３１を提案している。 
【００４５】
前記作動ノブ３１の前記ヒンジ部３１ｃから前記プリンタ本体１１に拘束された一端までは棒状の支持台３２が形成されるが、前記支持台３２は、そのものが弾性力を有した材質からなり、前記作動ノブ３１を前記ヒンジ部３１ｃを中心に回動させた後に放っておけば、前記作動ノブ３１は、前記支持台３２の弾性力により元の位置に戻る。 
【００４６】
また、前記作動ノブ３１のロック溝３１ａの上部には、前記ロック突起２４が下降しつつ前記圧縮スプリング３２を圧縮させた後、前記ロック溝３１ａに嵌め込まれるべく傾斜したガイド面３１ｂが形成される。 
【００４７】
このような作動ノブ３１は、図７Ｂに示すように、矢印の方向に押せば前記支持台３２が撓みつつ前記ヒンジ部３１ｃを中心に回動されて前記ロック突起２４がロック溝３１ａから解放される。 
【００４８】
このため、前記作動ノブ３１を解放させた状態では、前記上部ペーパーガイドアセンブリ２０が前記弾性スプリング２６の復元力により回動して開位置になる。  
【００４９】
次に、このような構成を有する本発明のペーパーローディング装置の動作について説明する。
【００５０】
図８Ａ及び図８Ｂは、本発明のペーパーローディング装置の使用状態を示す斜視図であり、図９は、本発明のペーパーローディング装置の使用状態を示す底面図である。これを参照すれば、本発明のペーパーローディング装置は、前記上部ペーパーガイドアセンブリ２０のヒンジ２３に前記上部ペーパーガイドアセンブリ２０を開位置に戻す弾性スプリング２６が介在されているため、前記作動ノブ３１を回してロック手段を解放させた状態では、前記上部ペーパーガイドアセンブリ２０が前記弾性スプリング２６の復元力により回動されて開位置になる。 
【００５１】
このように、開位置でペーパー９を前記上部ペーパーガイドアセンブリ２０と下部ペーパーガイド１２との間に挟む（図８Ａ）。 
【００５２】
この時、開位置における上部ペーパーガイドアセンブリ２０と下部ペーパーガイド１２との間隔は、ペーパー９の厚さに比べて非常に広く形成されるため、ペーパー９の挟み込みが極めて容易である。 
【００５３】
また、本発明の前記下部ペーパーガイド１２には、ローディングされるペーパーの両側をガイドするために垂直面に形成されたガイド部１２ｂが両側に備えられるため、前記ペーパー９を曲げることなく真っ直ぐにローディングすることができる。 
【００５４】
その後、前記上部ペーパーガイドアセンブリ２０を回動させれば、前記ロック突起２４が下降しつつ前記作動ノブ３１のガイド面３１ｂにガイドされてロック溝３１ａに嵌め込まれ、その結果、前記上部ペーパーガイドアセンブリ２０が閉位置になる。 
【００５５】
このとき、前記フィーディング減速ギア部材４２のうち何れか一つの減速ギア４２ａが前記マニュアルノブギア３４と噛み合うことにより、前記マニュアルノブ３３を手で回すだけで回転軸４３を回転させられる。 
【００５６】
次いで、前記マニュアルノブ３３を手で回して回転軸４３に連動されるスプロケットホイール４４を回転させれば、図９に示すように、ペーパー９の移送孔９ａに前記スプロケットホイール４４の突起４４ａが嵌め込まれ、その結果、ペーパー９を一定量だけローディング可能になるのである。 
【００５７】
次に、基板からの電気的な信号を受けてヘッド１３がペーパー９に印字を行う。 
【００５８】
一方、ロック手段を解放させる場合には、作動ノブ３１の他端を押して前記ヒンジ部３１ｃを中心に作動ノブ３１を回動させれば、前記支持台３２が撓みつつ前記ロック突起２４がロック溝３１ａから解放されるため、前記上部ペーパーガイドアセンブリ２０が開位置になる。 
【００５９】
以上、本発明の具体的な実施の形態について説明したが、本発明は、これに限定されることなく、本発明の範囲を免脱しない限り各種の変形を行うことができる。よって、本発明の範囲は、上記実施の形態により定められるものではなく、特許請求の範囲及びこの範囲と均等なものによって定められるべきである。
【図面の簡単な説明】
【００６０】
【図１】従来のミニプリンタを示す斜視図である。
【図２】従来のミニプリンタのペーパーローディング装置を示す分解斜視図である。
【図３】従来のミニプリンタのペーパーローディング装置の使用状態を示す斜視図である。
【図４】従来のミニプリンタのペーパーローディング装置に裂けた紙が詰まっていることを示す斜視図である。
【図５】本発明のミニプリンタを示す斜視図である。
【図６】本発明のミニプリンタのペーパーローディング装置を示す分解斜視図である。
【図７Ａ】本発明のロック手段を示す側面図である。
【図７Ｂ】本発明のロック手段を示す側面図である。
【図８Ａ】本発明のペーパーローディング装置の使用状態を示す斜視図である。
【図８Ｂ】本発明のペーパーローディング装置の使用状態を示す斜視図である。
【図９】本発明のペーパーローディング装置の使用状態を示す底面図である。
【符号の説明】
【００６１】
１１: プリンタ本体                １２ : 下部ペーパーガイド 
１２ａ : 切取り部                 １３ : ヘッド      
１３ａ : ヘッドキャリッジ         １４ : 駆動モータ 
１５ : リードカム                 １５ａ : 溝 
２０ : 上部ペーパーガイドアセンブリ     ２１ : 上部ペーパーガイド
２１ａ : 切取り部                 ２２ : 垂直板
２３ : ヒンジ軸                   ２４ : ロック突起
２６ : 弾性スプリング             ３１ : 作動ノブ
３１ａ : ロック溝                 ３１ｂ : ガイド面
３１ｃ : ヒンジ部                 ３２ : 圧縮スプリング
３３ : マニュアルノブ             ３４ : マニュアルノブギア
４１ : ペーパーフィーディングモータ     ４２ : フィーディング減速ギア部材
４３ : 回転軸                     ４４ : スプロケットホイール
４４ａ: 突起
【図１】
2005324535.tif 000003
【図２】
2005324535.tif 000004
【図３】
2005324535.tif 000005
【図４】
2005324535.tif 000006
【図５】
2005324535.tif 000007
【図６】
2005324535.tif 000008
【図７Ａ】
2005324535.tif 000009
【図７Ｂ】
2005324535.tif 000010
【図８Ａ】
2005324535.tif 000011
【図８Ｂ】
2005324535.tif 000012
【図９】
2005324535.tif 000013